(57)【要約】【課題】電源コンセントとマウントアングルとが干渉したりしない上、収納スペース内において電源ケーブルを引き回したりする必要がなく、従来よりも奥行き寸法のある電気機器をも収納可能な電気機器収納用ラックを提供する。【解決手段】マウントアングル２５の後方でその移動範囲から外れた位置に、電源コンセント２に接続された電源ケーブルを挿通可能なダクト３ａを設けるとともに、該ダクト３ａを、収納スペースＳ１内まで延設した。そして、当該ダクト３ａの延設部に窓を開設するとともに、電源コンセント２を、電源プラグの接続部が窓から露出するような姿勢でダクト３ａの延設部の内部に取り付けた。【選択図】図１
2008300744.tif 000002
【特許請求の範囲】
【請求項１】
収納スペース内に、電気機器を固定するためのマウントアングルを前後方向へ移動可能に備えているとともに、前記電気機器の電源プラグを接続可能な電源コンセントを取り付けてなる電気機器収納用ラックであって、
前記マウントアングルの後方で移動範囲から外れた位置に、前記電源コンセントに接続された電源ケーブルを挿通可能なダクトを立設し、前記電源コンセントを該ダクトに取り付けたことを特徴とする電気機器収納用ラック。
【請求項２】
ダクトに窓を開設するとともに、電源コンセントを、電源プラグの接続部が前記窓から露出するような姿勢で前記ダクト内部に取り付けたことを特徴とする請求項１に記載の電気機器収納用ラック。
【請求項３】
ダクトの表面に電源コンセントを取り付けるとともに、前記ダクトの前記電源コンセント取付位置下方の近傍位置に、前記ダクト内を挿通されている前記電源ケーブルを前記ダクト外へ引き出すための挿通孔を開設したことを特徴とする請求項１に記載の電気機器収納用ラック。
【発明の詳細な説明】
【技術分野】
【０００１】
本発明は、電気機器を収納するための電気機器収納用ラックに関するものである。
【背景技術】
【０００２】
一般的に、電気機器を収納するための電気機器収納用ラックには、収納された各種電気器の電源プラグを接続するための電源コンセント（たとえば、特許文献１に記載の電源コンセントバー等）が取り付けられている。
【０００３】
【特許文献１】特開２００６−２７８０２５号公報
【０００４】
ここで、電源コンセントが取り付けられた従来の電気機器収納用ラック５０について、図４をもとに説明する。図４は、電気機器収納用ラック５０の外観を示した斜視説明図である。
電気機器収納用ラック５０は、底板５１と、天板５２と、該底板５１及び天板５２の四隅同士を連結するように立設された支柱部材５３、５３・・と、底板５１及び天板５２の間に設置される仕切板５４とからなる枠状体であって、仕切板５４と底板５１との間、及び仕切板５４と天板５２との間のスペースが電気機器の収納スペースとなっている。各収納スペース内の前部の側縁には、一対のマウントアングル５５、５５が前後方向へスライド可能に取り付けられており、各種電気機器は、その前面等に備えられている取付金具等をマウントアングル５５、５５に固定して、収納スペース内に収納される。
【０００５】
また、各マウントアングル５５の前方に位置する支柱部材５３には、収納された電気機器の電源プラグを接続するための複数のコンセントを備えた電源コンセント５６が、プラグ接続部を収納スペース内側へ向けた状態で取り付けられている。尚、５８は、電源コンセント５６に接続された電源ケーブルである。
そして、該電気機器収納用ラック５０に上述の如くして収納された電気機器は、各電源プラグを電源コンセント５６へ差し込み接続して、操作・使用される。
【発明の開示】
【発明が解決しようとする課題】
【０００６】
しかしながら、上記従来の電気機器収納用ラック５０によれば、マウントアングル５５を図５（ｂ）に示すような位置に位置させると、電源コンセント５６への電源プラグの差し込み接続が不可能となることから、図５（ａ）に示すように電源コンセント５６よりも後方位置にしかマウントアングル５５を位置させることができない。そのため、収納スペース内へ収納可能な電気機器の奥行き寸法が制限されてしまうことになる。したがって、収納可能な電気機器の種類が限られており、汎用性に劣るといった問題がある。
また、電源ケーブル５８が収納スペース内に露出しているため、該露出部が電気機器の収納に邪魔になるといった問題もある。
【０００７】
そこで、本発明は、上記問題に鑑みなされたものであって、電源コンセントとマウントアングルとが干渉したりしない上、収納スペース内において電源ケーブルを引き回したりする必要がなく、従来よりも奥行き寸法のある電気機器をも収納可能な電気機器収納用ラックを提供しようとするものである。
【課題を解決するための手段】
【０００８】
上記目的を達成するために、本発明のうち請求項１に記載の発明は、収納スペース内に、電気機器を固定するためのマウントアングルを前後方向へ移動可能に備えているとともに、前記電気機器の電源プラグを接続可能な電源コンセントを取り付けてなる電気機器収納用ラックであって、前記マウントアングルの後方で移動範囲から外れた位置に、前記電源コンセントに接続された電源ケーブルを挿通可能なダクトを立設し、前記電源コンセントを該ダクトに取り付けたことを特徴とする。
請求項２に記載の発明は、請求項１に記載の発明において、ダクトに窓を開設するとともに、電源コンセントを、電源プラグの接続部が前記窓から露出するような姿勢で前記ダクト内部に取り付けたことを特徴とする。
請求項３に記載の発明は、請求項１に記載の発明において、ダクトの表面に電源コンセントを取り付けるとともに、前記ダクトの前記電源コンセント取付位置下方の近傍位置に、前記ダクト内を挿通されている前記電源ケーブルを前記ダクト外へ引き出すための挿通孔を開設したことを特徴とする。
【発明の効果】
【０００９】
本発明によれば、マウントアングルの後方で移動範囲から外れた位置に、電源コンセントに接続された電源ケーブルを挿通可能なダクトを立設し、電源コンセントを該ダクトに取り付けている。そのため、従来のようにマウントアングルと電源コンセントとが干渉したりしない。したがって、収納する電気機器に応じてマウントアングルを所望の位置にセットすることができ、ひいては、より奥行き寸法のある電気機器の収納にも対応することができ、汎用性に富んだ電気機器収納用ラックとすることができる。また、マウントアングルへの電気機器の固定後に、該固定された電気機器と電源コンセントとが干渉して、電気機器の操作、電源プラグの差し込み接続作業等が煩わしくなるといった事態も生じない。つまり、電気機器収納用ラックの使い勝手も向上することができる。さらに、電源コンセントをダクトに取り付けるため、電源コンセントを取り付けるための取付部材を新たに別途設置したりする必要がなく、電気機器収納用ラックの構成の合理化を図ることができる。
また、請求項２に記載の発明によれば、ダクトに窓を開設するとともに、電源コンセントを、電源プラグの接続部が窓から露出するような姿勢でダクト内部に取り付けているし、請求項３に記載の発明によれば、ダクトの表面に電源コンセントを取り付けるとともに、ダクトの電源コンセント取付位置下方の近傍位置に、ダクト内を挿通されている電源ケーブルをダクト外へ引き出すための挿通孔を開設している。したがって、従来の如く収納スペース内で電源ケーブルを引き回す必要がなく、引き回し作業を簡略することができる。また、電源ケーブルが電気機器の収納の邪魔となったりせず、より広いスペースを収納スペースとして確保することができる。
【発明を実施するための最良の形態】
【００１０】
以下、本発明の一実施形態となる電気機器収納用ラック（以下、単にラックと称す）について、図面をもとに説明する。
【００１１】
図１は、本実施例に係るラック１の外観を示した斜視説明図であり、図２は、ラック１に備えられた電源コンセント２を示した部分拡大説明図である。尚、図２では、ダクト３の側板が外されている。
ラック１は、底板２１と、天板２２と、底板２１及び天板２２の四隅同士を連結するように立設される支柱部材２３、２３・・と、底板２１及び天板２２の間に設置される仕切板２４とからなる枠状体であって、天板２２と仕切板２４との間のスペースＳ１、及び仕切板２４と底板２１との間のスペースＳ２が電気機器を収納するための収納スペースとなっている。
【００１２】
また、各収納スペースＳ１、Ｓ２内の前部側縁には、一対のマウントアングル２５、２５が前後方向へスライド可能に取り付けられている。さらに、収納スペースＳ２の中央部側縁（すなわち、マウントアングル２５、２５の後方）で、マウントアングル２５、２５のスライド範囲を外れた位置には、電源ケーブル（図示せず）を収納スペースＳ１へ導くためのダクト３ａ、３ｂが立設されている。
各ダクトは３ａ、３ｂは、折り曲げ形成されたコ字状体に側板をネジ止めしてなる筒状体であって、内部に電源ケーブルを挿通可能となっている。また、各ダクト３ａ、３ｂは、マウントアングル２５よりも左右方向で外方に設けられている（すなわち、マウントアングル２５よりも左右方向で各収納スペース内方へ突出していない）。さらに、一方のダクト３ａは、仕切板２４よりも更に上方まで延設されており、ダクト３ａの該延設部の前面には、上下方向へ複数の窓が開設された窓部４が設けられている。そして、ダクト３ａの延設部内には、各窓から電源プラグの接続部を露出させるような姿勢で、電源コンセント２が取り付けられており、窓を介して電源プラグを電源コンセント２へ接続可能となっている。一方、他方のダクト３ｂは、仕切板２４と略同一平面となる高さまでとなっている。尚、ダクト３ａ内を挿通された電源ケーブルは、電源コンセント２に接続されており、特に収納スペースＳ１内においてはダクト３ａ内部のみにある。
【００１３】
上記ラック１では、従来同様、マウントアングル２５、２５に各電気機器の取付金具等を固定することにより、電気機器を収納スペースＳ１、Ｓ２内へ収納するようになっている。ここで、マウントアングル２５、２５は、従来のように電源コンセント２に干渉したりしないため、適宜所望の位置にセットして、電気機器を取り付けることができる。そして、該ラック１に収納された電気機器は、各電源プラグをダクト３ａ内にある電源コンセント２へ差し込み接続して、操作・使用される。
【００１４】
以上のような構成を有するラック１によれば、マウントアングル２５の後方でその移動範囲から外れた位置にダクト３ａ、３ｂを立設するとともに、一方のダクト３ａを収納スペースＳ１内まで延設し、該延設部内に電源コンセント２を取り付けている。したがって、従来のようにマウントアングル２５と電源コンセント２とが干渉したりせず、収納する電気機器に応じてマウントアングル２５を所望の位置にセットすることができ、ひいては、より奥行き寸法のある電気機器であっても収納することができる。また、マウントアングル２５への電気機器の固定後に、該固定された電気機器と電源コンセント２とが干渉して、電気機器の操作、電源プラグの差し込み接続作業等が煩わしくなるといった事態も生じない。つまり、汎用性及び作業性に優れたラック１とすることができる。
【００１５】
さらに、電源コンセント２をダクト３ａ内に取り付けることで、従来の如く電源ケーブル等を収納スペースＳ１内で引き回す必要がなく、引き回し作業を簡略することができるし、電源ケーブル等が電気機器の収納の邪魔となったりせず、より広いスペースを収納スペースＳ１として確保することができる。
加えて、電源コンセント２を従来とは異なる位置に取り付けるにあたり、ダクト３ａの延設部を採用しているため、ダクト３ａの他に電源コンセント２を取り付けるための取付部材を別途設置したりする必要がなく、構成の合理化を図ることができる。
【００１６】
なお、本発明のラックに係る構成は、上記実施形態に記載の態様に何ら限定されるものではなく、ダクト、電源コンセントの取付位置等に係る構成を、本発明の趣旨を逸脱しない範囲で、必要に応じて適宜変更することができる。
【００１７】
ここで、本発明に係るラックの変更例について図３をもとに説明する。図３は、本発明の変更例となるラック１’について示した斜視説明図である。尚、図３において、上記実施形態のラック１と同じ構成要素については、同じ符号を付している。
【００１８】
本発明の変更例となるラック１’では、ダクト３ａの延設部の前面に電源コンセント２’を露出状態で取り付けている。尚、ダクト３ａの下部前面で、取付状態にある電源コンセント２’の下方隣接位置には、電源ケーブルを挿通させるための挿通孔８が開設されている。
このようなラック１’であっても、上記実施形態に記載のラック１同様、マウントアングル２５と電源コンセント２’との干渉を防止することができ、ラックの汎用性を高めることができるし、電源コンセント２’への電源プラグの接続に係る作業性が損なわれたりしないといった効果がある。また、電源コンセント２’の取り付け位置の下方に隣接するように挿通孔８を開設しているため、電源ケーブルの引き回し作業の簡略化、収納スペースの有効活用といった効果も奏し得る。
【００１９】
さらに、上記実施形態では、収納スペースＳ１にのみ電源コンセントを取り付けているが、収納スペースＳ２に電源コンセントを取り付けても何ら問題はなく、当該取り付けに際しては、実施形態に記載の如くダクト内に取り付けたり、変更例のようにダクト前面に取り付けたりすればよい。
加えて、上記実施形態では、一方のダクトにのみ電源コンセントを取り付けているが、両方のダクトに電源コンセントを取り付けるようにしてもよいし、必要でない場合には電源コンセントが取り付けられていない側のダクトを省略することも可能である。
【図面の簡単な説明】
【００２０】
【図１】本発明に係る電気機器収納用ラックの外観を示した斜視説明図である。
【図２】電気機器収納用ラックに備えられた電源コンセントを示した部分拡大説明図である。
【図３】本発明の変更例となる電気機器収納用ラックについて示した斜視説明図である。
【図４】従来の電気機器収納用ラックの外観を示した斜視説明図である。
【図５】従来の電気機器収納用ラックにおける電源コンセント付近を拡大して示した説明図である。
【符号の説明】
【００２１】
１、１’・・ラック、２、２’・・電源コンセント、３ａ、３ｂ・・ダクト、４・・窓部、２５・・マウントアングル、Ｓ１、Ｓ２・・収納スペース。
【図１】
2008300744.tif 000003
【図２】
2008300744.tif 000004
【図３】
2008300744.tif 000005
【図４】
2008300744.tif 000006
【図５】
2008300744.tif 000007